(57)【要約】【課題】  支柱を床面乃至壁面に取り付けた後からでも施工後の微妙な寸法誤差の修正ができる支柱の取付装置を提供すること。【解決手段】  床面乃至壁面に取り付けるための取付座と、調整用のボルトを中央に固着した調整用筒体と、前記ボルトに螺合する螺子孔を中央に形成した支柱取付金具とから構成され、調整用筒体を回転させることによって座と支柱取付金具との間隔を可変できるようにしたことを特徴とする。【選択図】        図３
2006015104.tif 000002
【特許請求の範囲】
【請求項１】
床面乃至壁面に取り付けるための取付座と、調整用のボルトを中央に固着した調整用筒体と、前記ボルトに螺合する螺子孔を中央に形成した支柱取付金具とから構成され、調整用筒体を回転させることによって座と支柱取付金具との間隔を可変できるようにしたことを特徴とする支柱の取付装置。
【発明の詳細な説明】
【技術分野】
【０００１】  本発明は、主として床面と壁面の間に棚受けやラックを構築するための支柱を取り付けるための支柱の取付装置に関するものである。
【発明の開示】
【発明が解決しようとする課題】
【０００２】  従来から、床面と壁面の間に棚受けやラックを構築するための骨組みを構成する支柱を取り付けるための装置は公知である。【０００３】  然しながら、従来のこのような装置では単に支柱の端部に床面乃至壁面に固定するための座を取り付けてこの座を床面乃至壁面にネジ止めするだけのものであったため、一旦使用する支柱の長さを決めてしまえば、床面からの支柱の高さの調節や、壁面からの支柱迄の距離の調節ができず、床面や壁面の歪みによる複数の支柱間での寸法誤差や、施工後の微妙な寸法誤差の修正等の調整ができないという問題点があった。
【発明の目的】
【０００４】  本発明は、支柱を床面乃至壁面に取り付けた後からでも施工後の微妙な寸法誤差の修正ができる支柱の取付装置を提供することを目的とするものである。
【課題を解決するための手段】
【０００５】  本発明に係る支柱の取付装置は、床面乃至壁面に取り付けるための取付座と、調整用のボルトを中央に固着した調整用筒体と、前記ボルトに螺合する螺子孔を中央に形成した支柱取付金具とから構成され、調整用筒体を回転させることによって座と支柱取付金具との間隔を可変できるようにしたことを特徴とするものである。
【発明の作用】
【０００６】  本発明では、調整用筒体を回転させることによってボルトが回転してこのボルトに螺合する螺子孔を中央に有する支柱取付金具がボルトの回転によって上下乃至左右に移動する。
【実施例】
【０００７】  図１は、本発明に係る支柱の取付装置によって棚受けを構築する状態の斜視図、図２は、同装置と支柱の側面図、図３は、同装置の縦断側面図、図４は、図３のＡ−Ａ線断面図、図５は、図３のＢ−Ｂ線断面図である。【０００８】  図において、１は、床面乃至壁面に取り付けるための取付用の丸座で、中央に後述する調整用筒体と丸座１を一体化するためのネジａが挿通できる丸孔１−１が形成されている。【０００９】  ２は、前記丸座１の丸孔１−１から挿通されたネジａに螺合する螺子孔２−１と、調整用のボルト３が螺合して強固に固定される螺子孔２−２が形成され、後述する支柱取付金具中央のネジ受部が嵌合する中空部２−３が形成された調整用筒体であって、外周には指で握って回転させ易いようにローレットが形成され、調整用のボルト３の端部には螺子孔２−２に強固に締め付けるときに螺子山が潰れることなくボルト３を回転させることができるように六角レンチが嵌合できる六角孔３−１が形成されている。【００１０】  ４は、中央に、前記調整用のボルト３が螺合する螺子孔４−１ａが形成されたネジ受部４−１を有し、後述する支柱の端部にネジ止めするためのネジ挿通孔４−２をそれぞれ形成した２つの袋状ケーシング４−３、４−３を備えた支柱取付金具であって、調整用筒体２を支柱取付金具４に組み付けたときに袋状ケーシング４−３、４−３の間に調整用筒体２外周のローレットが見えるようになっている。【００１１】  ５は、棚受けやラックを構築するための金属製型材から成る断面１型の支柱であって、前記支柱取付金具４のネジ挿通孔４−２、４−２の端部から挿通させたネジｂ、ｂが止められるネジ受部５−１、５−１が形成されている。尚、支柱５が木製の場合は直接支柱端部にネジ止めすればよいものである。【００１２】  尚、図中、２−４は、支柱による棚受けやラックの構築が完了した後、調整用筒体２が不測に回転しないように調整用筒体２を支柱取付金具４のネジ受部４−１に固定するための止めネジを挿通するための孔、２−５は、調整用筒体２を早く回転させたいときに工具の先端を入れて廻すための孔、６は、支柱１、１同士を連結するためのコーナージョイントである。【００１３】  次に、本発明装置による支柱の取付方法について説明する。【００１４】  先ず、取り付けるべき支柱５の端部に前記支柱取付金具４をネジｂ、ｂにて取り付けておく。【００１５】  同時に、前記丸座１の丸孔１−１から挿通されたネジａを、予め調整用のボルト３を固着してある調整用筒体２の螺子孔２−１に螺合させて一体化させ、この調整用筒体２を一体化した丸座１を支柱を取り付けるための床面Ｆ乃至壁面Ｗの所定個所にネジ止めして固定しておく。【００１６】  次いで、支柱５を取り付けた前記支柱取付金具４のネジ受部４−１を前記床面乃至壁面に取り付けられた調整用筒体２のボルト３の端部に持っていって調整用筒体２の外周ローレット部分を握って回転させることによってネジ受部４−１の螺子孔４−１ａにボルト３を螺合させる。【００１７】  調整用筒体２を回転させることによってボルト３の螺子部で螺子孔４−１ａの雌螺子部が押されて支柱取付金具４が上下或いは左右に移動することになるので、丸座１と支柱取付金具��の間隔が可変できる。【００１８】  つまりこの方法によって、支柱取付金具４つまり支柱５は調整用筒体２を介して丸座１に取り付けられることになるが、この方法を必要数の支柱において繰り返し行い、棚受けやラックを構築するための骨組みを形成する。【００１９】  骨組みを形成した後、各支柱がそれぞれ水平になっていないか、または、平行になっていないか、歪みはないか等の不都合を検査し、不都合がある場合には、それぞれの取り付け個所の調整用筒体２を回転させて丸座１と支柱取付金具４の間隔を変えて不都合を修正する。【００２０】  不都合を修正して所期の目的の骨組みを形成した後、不測の力が調整用筒体２に掛かって回転し、丸座１と支柱取付金具４の間隔がズレて骨組みのバランスが崩れないように、調整用筒体２の孔２−４に止めネジを挿通して支柱取付金具４のネジ受部４−１に固定することによって床面と壁面の間に棚受けやラックを構築するための骨組みを構成する支柱の取り付けが完了する。
【発明の効果】
【００２１】  以上述べたように、本発明に係る支柱の取付装置によれば、床面乃至壁面に取り付けるための取付座と、調整用のボルトを中央に固着した調整用筒体と、前記ボルトに螺合する螺子孔を中央に形成した支柱取付金具とから構成され、調整用筒体を回転させることによって座と支柱取付金具との間隔を可変できるようにしたものであるから、床面乃至壁面に取り付けるための取付座と支柱の間隔を調整用筒体を回転させるだけで簡単に可変することができ、床面や壁面の歪みによる複数の支柱間での誤差や、施工後の微妙な誤差の修正等の調整がきわめて簡単に行えるという優れた効果を奏し得るものである。
【図面の簡単な説明】
【００２２】
【図１】本発明に係る支柱の取付装置によって棚受けを構築する状態の斜視図である。
【図２】同装置と支柱の側面図である。
【図３】同装置の縦断側面図である。
【図４】図３のＡ−Ａ線断面図である。
【図５】図３のＢ−Ｂ線断面図である。
【符号の説明】
【００２３】    １          取付座
２          調整用筒体
３          ボルト
４          支柱取付金具
【図１】
2006015104.tif 000003
【図２】
2006015104.tif 000004
【図３】
2006015104.tif 000005
【図４】
2006015104.tif 000006
【図５】
2006015104.tif 000007